(57)【要約】【課題】  本発明はリール本体にクリック機構を備えた魚釣用リールに改良を加え、リール全体の小型化によって操作性の向上を図った魚釣用リールを提供することを目的とする。【解決手段】  フレームと、該フレームの左右の側枠に取り付く側板とで構成されるリール本体にスプール軸を介してスプールが回転自在に取り付き、ハンドルの巻取り操作に連動してスプールに釣糸を均一に巻回させるレベルワインド機構と、スプールの回転を報知するクリック機構とを備えた魚釣用リールに於て、前記クリック機構を、前記スプール軸に回り止め嵌合されたクリックギヤと、該クリックギヤに係合する係合爪と、該係合爪を弾性的に保持する環状弾性保持体とで構成すると共に、前記側枠に開口部を設け、該開口部内に前記クリックギヤ，係合爪，環状弾性保持体を配置したことを特徴とする。【選択図】    図２
2009247262.tif 000002
【特許請求の範囲】
【請求項１】
フレームと、該フレームの左右の側枠に取り付く側板とで構成されるリール本体にスプール軸を介してスプールが回転自在に取り付き、ハンドルの巻取り操作に連動してスプールに釣糸を均一に巻回させるレベルワインド機構と、スプールの回転を報知するクリック機構とを備えた魚釣用リールに於て、
前記クリック機構を、前記スプール軸に回り止め嵌合されたクリックギヤと、該クリックギヤに係合する係合爪と、該係合爪を弾性的に保持する環状弾性保持体とで構成すると共に、
前記側枠に開口部を設け、該開口部内に前記クリックギヤ，係合爪，環状弾性保持体を配置したことを特徴とする魚釣用リール。
【請求項２】
前記側板内に突出する前記スプール軸の突出端側に出力歯車を回り止め嵌合すると共に、該出力歯車に噛合し、スプールの回転を前記レベルワインド機構に伝達させる連動歯車を、前記側板に装着され、スプール軸の突出端を支持する軸受と前記環状弾性保持体との間に配置したことを特徴とする請求項１に記載の魚釣用リール。
【請求項３】
前記軸受の抜け止めを図る押さえプレートと前記環状弾性保持体を、側板内に設けた同一の支持部に取り付け固定したことを特徴とする請求項２に記載の魚釣用リール。
【発明の詳細な説明】
【技術分野】
【０００１】
本発明は、リール本体にクリック機構を備えた魚釣用リールに関する。
【背景技術】
【０００２】
特許文献１に開示されるように、従来、両軸受型リールを始め多くの魚釣用リールには、スプールの回転を釣人に報知するクリック機構が備えられている。
【０００３】
図６及び図７に示すように特許文献１に開示された魚釣用リール１は、リール本体３の反ハンドル側に取り付く側板５内に、クリックギヤ７とこれに係合する係合爪９、該係合爪９に係合して振動発音するリング状の発音体１１からなるクリック機構１３を収納，配置したもので、前記クリックギヤ７は側板５内へのスプール軸１５の突出端に回り止め嵌合され、係合爪９と発音体１１は側板５の内面に取り付けられている。
【０００４】
また、図示するように前記魚釣用リール１は、更に、側板５内へのスプール軸１５の突出端側に出力歯車１７を回り止め嵌合すると共に、同じく側板５内へ突出するレベルワインド機構１９のトラバースカム軸２１の突出端に入力歯車２３を回り止め嵌合して、両歯車１７，２３間に連動歯車２５を配置した構造となっており、ハンドル操作で釣糸２７をスプール２９に巻回する際に、その回転力がスプール軸１５から前記出力歯車１７，連動歯車２５を経て入力歯車２３に伝達されて、トラバースカム軸２１が一方向に回転するようになっている。
【０００５】
而して、斯様にハンドル操作に連動してトラバースカム軸２１が一方向に回転することにより、該トラバースカム軸２１のカム溝３１に係合する係合爪を備えた釣糸案内体３３がトラバースカム軸２１に沿って往復動して釣糸２７がスプール２９に均一に巻回され、また、スプール２９の回転に伴い前記クリックギヤ７が回転することで、これに係合する係合爪９が弾き振動し、該係合爪９に係合する発音体１１が振動発音してスプール２９の回転を釣人に報知することとなる。
【特許文献１】実用新案登録第２５７３３１５号公報
【発明の開示】
【発明が解決しようとする課題】
【０００６】
しかし乍ら、前記魚釣用リール１は、リール本体３の側枠３５外の側板５内にクリック機構１３を構成するクリックギヤ７，係合爪９，発音体１１と、スプール軸１５の回転をレベルワインド機構１９に伝える連動歯車２５や入力歯車２３等を並列させて集約配置した構造上、側板５が厚くなってリール本体が大型化してしまい、実釣上のパーミング性能，操作性が悪くなってしまう欠点があった。
【０００７】
本発明は斯かる実情に鑑み案出されたもので、上述の如くリール本体にクリック機構を備えた魚釣用リールに改良を加え、リール全体の小型化によって操作性の向上を図った魚釣用リールを提供することを目的とする。
【課題を解決するための手段】
【０００８】
斯かる目的を達成するため、請求項１に係る発明は、フレームと、該フレームの左右の側枠に取り付く側板とで構成されるリール本体にスプール軸を介してスプールが回転自在に取り付き、ハンドルの巻取り操作に連動してスプールに釣糸を均一に巻回させるレベルワインド機構と、スプールの回転を報知するクリック機構とを備えた魚釣用リールに於て、前記クリック機構を、前記スプール軸に回り止め嵌合されたクリックギヤと、該クリックギヤに係合する係合爪と、該係合爪を弾性的に保持する環状弾性保持体とで構成すると共に、前記側枠に開口部を設け、該開口部内に前記クリックギヤ，係合爪，環状弾性保持体を配置したことを特徴とする。
【０００９】
そして、請求項２に係る発明は、請求項１に記載の魚釣用リールに於て、前記側板内に突出する前記スプール軸の突出端側に出力歯車を回り止め嵌合すると共に、該出力歯車に噛合し、スプールの回転を前記レベルワインド機構に伝達させる連動歯車を、前記側板に装着され、スプール軸の突出端を支持する軸受と前記環状弾性保持体との間に配置したことを特徴とし、請求項３に係る発明は、請求項２に記載の魚釣用リールに於て、前記軸受の抜け止めを図る押さえプレートと前記環状弾性保持体を、側板内に設けた同一の支持部に取り付け固定したことを特徴とする。
【発明の効果】
【００１０】
請求項１及び請求項２に係る発明によれば、構成部品の適正配置によって魚釣用リール全体の小型化が図れ、実釣時に於けるパーミング性能の向上と操作性の向上により快適な環境で釣りが行えることとなる。
【００１１】
そして、請求項３に係る発明によれば、部品点数の減少によってコストの削減が図れると共に、組付け作業性が向上する利点を有する。
【発明を実施するための最良の形態】
【００１２】
以下、本発明の実施形態を図面に基づいて詳細に説明する。
【００１３】
図１は請求項１乃至請求項３に係る魚釣用リールの一実施形態を示し、図中、４１，４３はフレーム４５の左右の側枠４７，４９に取り付く側板で、両側板４１，４３とフレーム４５とで魚釣用リール５１のリール本体５３が構成され、側板４１，４３と側枠４７，４９は側面視円形状に形成されている。そして、前記側枠４７，４９間の上部に平坦なプレート状のサムレスト５５が一体に架設され、側枠４７，４９間の下部に、釣竿取付部５７が取り付くリール脚５９が一体に架設されており、前記側枠４７，４９とサムレスト５５，リール脚５９によって前記フレーム４５が構成されている。
【００１４】
そして、両側板４１，４３間に、該側板４１と側枠４９に装着した軸受６１，６３によってスプール軸６５が回転可能に支持され、該スプール軸６５にスプール６７が一体的に取り付けられている。
【００１５】
また、図１乃至図３に示すようにフレーム４５の左側（反ハンドル側）の側枠４７には、スプール軸６５を中心とする円形状のスプール６７の挿脱用の開口部６９が設けられており、該開口部６９内にスプール６７の左側フランジ６７ａが挿入している。そして、既述したようにスプール軸６５の一端は側板４１内に突出して、該側板４１の内面の支持部７１に装着した軸受６１に支持されているが、前記開口部６９に位置するスプール軸６５の外周に、クリック機構７３のクリックギヤ７５が回り止め嵌合されている。
【００１６】
図２乃至図５に示すようにクリック機構７３は、前記クリックギヤ７５と、該クリックギヤ７５に係合する係合爪７７と、該係合爪７７の先端側を弾性的に保持する環状弾性保持体７９とで構成されており、図２に示すようにクリックギヤ７５と係合爪７７，環状弾性保持体７９は、側枠４７に設けた前記開口部６９内に一直線状に配置されている。尚、側枠４７の肉厚（図２中、ｍ）は従来と同一幅である。
【００１７】
図４及び図５に示すように前記係合爪７７は、左右側部の絞り部８１を挟んでクリックギヤ側先端８３が略Ｖ字状に形成され、後部８５側が円形状に形成されている。そして、該後部８５に操作ツマミ８７の軸部８９が挿着されており、係合爪７７はワッシャ９１で該軸部８９に抜け止め保持されている。
【００１８】
図２に示すように操作ツマミ８７は、ツマミ本体（頭部）９３と前記軸部８９とからなり、ツマミ本体９３は、クリックギヤ７５の径方向に沿って側板４１の外周に設けた操作用凹部９５内に収納され、軸部８９の先端に前記係合爪７７が固定されている。
【００１９】
そして、前記操作用凹部９５の底部には、前記軸部８９の挿通孔９７が同じくクリックギヤ７５の径方向に沿って設けられており、操作ツマミ８７を該挿通孔９７に沿って矢印Ａ方向へスライド操作すると、係合爪７７が同方向へ移動してクリックギヤ側先端８３がクリックギヤ７５に噛合（クリックＯＮ）し、また、斯かる状態で操作ツマミ８７を矢印Ｂ方向へスライド操作すると、係合爪７７がクリックギヤ７５から離間（クリックＯＦＦ）するようになっている。
【００２０】
また、斯様にクリックギヤ７５に係脱する係合爪７７は、リーフスプリングで形成された前記環状弾性保持体７９によってクリックギヤ側先端８３が保持されている。
【００２１】
図２及び図４に示すように環状弾性保持体７９は、係合爪７７の矢印Ａ，Ｂ方向の移動に伴い、前記クリックギヤ側先端８３が挿脱する切欠き９８が設けられた環状の周壁からなる保持部９９と、該保持部９９に連設されたプレート状の取付片１０１とからなり、該取付片１０１は、側板４１の内面に突設された支持部１０３にビス止めされている。そして、クリックＯＮ状態でスプール６７が回転すると、前記係合爪７７が係合しているクリックギヤ７５は、環状弾性保持体７９（保持部９９）の弾性に抗して回転することによる弾発係合でクリック音が発生するようになっている。
【００２２】
また、図２及び図５に示すように前記支持部１０３には、環状弾性保持体７９の取付けに用いるビス１０５を用いて断面Ｌ字状に形成された軸受押さえプレート１０７が同時にビス止めされており、該軸受押さえプレート１０７が前記支持部７１の先端に当接して軸受６１の抜け止め保持が図られている。そして、図２及び図３に示すように、前記軸受６１と環状弾性保持体７９との間のスプール軸６５の外周に出力歯車１０９が回り止め嵌合されている。
【００２３】
一方、図１に示すようにスプール６７前方の側枠４７，４９（側板４１，４３）間にレベルワインド機構１１１が装着されており、該レベルワインド機構１１１のトラバースカム軸（図３中、符号１１３）はスプール軸６５に沿って側枠４７，４９間に架設されている。そして、図３に示すように側板４１内に突出するトラバースカム軸１１３の突出端に入力歯車１１５が回り止め嵌合されている。
【００２４】
そして、前記出力歯車１０９に噛合する大歯車１１７と、前記入力歯車１１５に噛合する小歯車１１９とからなる連動歯車１２１が、側板４１に軸着されて前記軸受６１と環状弾性保持体７９との間に配置されており、スプール６７（スプール軸６５）の回転が、該連動歯車１２１を介してトラバースカム軸１１３に伝達されるようになっている。
【００２５】
その他、図１中、１２３はスプール６７をスプールフリー状態（クラッチＯＦＦ）と釣糸巻取り状態（クラッチＯＮ）とに切り換える周知のクラッチ機構１２５のクラッチレバーで、従来と同様、釣糸巻取り状態で該クラッチレバー１２３を操作すると、ピニオンギヤ１２７の外周に設けた環状溝１２９に係合するクラッチプレート１３１が、スプール軸６５に設けたクラッチ部１３３に対するピニオンギヤ１２７のクラッチ結合を解除してスプール６７をスプールフリー状態に切り換える。また、斯かる状態で後述するハンドル１３５を巻取り操作すると、周知の自動復帰装置によりピニオンギヤ１２７が前記クラッチ部１３３にクラッチ結合して、スプール６７が釣糸巻取り状態に自動復帰するようになっている。
【００２６】
また、図１中、１３５は側板４３側に装着された釣糸巻取り用のハンドルで、該ハンドル１３５が連結されたハンドル軸１３７に、前記ピニオン１２７に噛合するドライブギヤ１３９が周知のドラグ１４１によって摩擦結合されており、スプール６７の釣糸巻き取り状態（クラッチＯＮ）でのハンドル１３５の巻き取り操作で、その回転力がドライブギヤ１３９，ピニオンギヤ１２７からスプール軸６５に伝達されてスプール６７が釣糸巻取り方向へ回転する。そして、既述したようにクラッチレバー１２３によるクラッチＯＦＦの操作で、クラッチ部１３３とピニオンギヤ１２７とのクラッチ係合が解除されて、スプール軸６５へのハンドル１３５の回転力が遮断されるようになっている。
【００２７】
そして、スプール６７（スプール軸６５）の回転に伴い、前記出力歯車１０９，連動歯車１２１，入力歯車１１５を介してスプール６７の回転力がトラバースカム軸１１３に伝達されて、前記レベルワインド機構１１１により釣糸がスプール６５の釣糸巻回胴部１４３に均一に巻回され、また、キャスティング動作に伴い、釣糸巻回胴部１４３に巻回された釣糸が均一に繰り出されるようになっている。
【００２８】
本実施形態はこのように構成されているから、前記操作ツマミ８７を矢印Ａ方向へスライド操作して係合爪７７をクリックギヤ７５に噛合させて（クリックＯＮ）、スプール６７の釣糸巻き取り状態（クラッチＯＮ）でハンドル１３５を巻き取り操作すると、その回転力がドライブギヤ１３９，ピニオンギヤ１２７からスプール軸６５に伝達されてスプール６７が釣糸巻取り方向へ回転する。そして、スプール６７の回転に伴い、前記出力歯車１０９，連動歯車１２１，入力歯車１１５を介してスプール６７の回転力がトラバースカム軸１１３に伝達されて、レベルワインド機構１１１により釣糸がスプール６５の釣糸巻回胴部１４３に均一に巻回される。
【００２９】
また、斯様にクリックＯＮ状態でスプール６７が回転すると、前記係合爪７７が係合しているクリックギヤ７５は、環状弾性保持体７９（保持部９９）の弾性に抗して回転することによる弾発係合でクリック音が発生し、釣人にスプール回転を報知する。そして、また、前記操作ツマミ８７を矢印Ｂ方向へスライド操作して、係合爪７７をクリックギヤ７５から離間させておくと（クリックＯＦＦ）、スプール６７が回転してもクリック音は発生しない。
【００３０】
このように、本実施形態に係る魚釣用リール５１も、リール本体５３にクリック機構７３やレベルワインド機構１１１を備えているが、本実施形態は、フレーム４５の反ハンドル側の側枠４１に開口部６９を設けて、該開口部６９内に、クリック機構７３を構成するクリックギヤ７５と係合爪７７，環状弾性保持体７９を一直線状に配置すると共に、スプール６７の回転をトラバースカム軸１１３に伝達させる連動歯車１２１を前記軸受６１と環状弾性保持体７９との間に配置したので、図６に示す従来例に比し前記側板４１全体を薄くでき、この結果、魚釣用リール５１全体の小型化が図れ、実釣時に於けるパーミング性能の向上と操作性の向上により快適な環境で釣りが行えることとなる。
【００３１】
また、本実施形態は、側板４１の内面に突設した支持部１０３に、環状弾性保持体７９と軸受押さえプレート１０７を同一のビス１０５でビス止めしたので、部品点数の減少によってコストの削減が図れると共に、組付け作業性が向上する利点を有する。
【図面の簡単な説明】
【００３２】
【図１】請求項１乃至請求項３の一実施形態に係る魚釣用リールの要部切欠き断面図である。
【図２】図１に示す魚釣用リールの要部拡大断面図である。
【図３】側板を外した魚釣用リールの側面図である。
【図４】側板を外したリール本体の側面図である。
【図５】側板を外したリール本体の側面図である。
【図６】従来の魚釣用リールの断面図である。
【図７】従来のクリック機構の正面図である。
【符号の説明】
【００３３】
４１，４３  側板
４５  フレーム
４７，４９  側枠
５１  魚釣用リール
５３  リール本体
６５  スプール軸
６７  スプール
６９  開口部
７３  クリック機構
７５  クリックギヤ
７７  係合爪
７９  環状弾性保持体
８３  クリックギヤ側先端
８７  操作ツマミ
１０３  支持部
１０７  軸受押さえプレート
１０９  出力歯車
１１１  レベルワインド機構
１１３  トラバースカム軸
１１５  入力歯車
１１７  大歯車
１１９  小歯車
１２１  連動歯車
１２３  クラッチレバー
１３５  ハンドル
【図１】
2009247262.tif 000003
【図２】
2009247262.tif 000004
【図３】
2009247262.tif 000005
【図４】
2009247262.tif 000006
【図５】
2009247262.tif 000007
【図６】
2009247262.tif 000008
【図７】
2009247262.tif 000009